(57)【特許請求の範囲】
【請求項１】
内右側板（２）と後板（３）と左側板（４）と前板（５）と右側板（６）とを縦折線を介し順に横方向に連接し、内右側板（２）の上・下方向に横折線を介し天・底の接続フラップ（７、８）を連接し、後板（３）の上・下方向に横折線を介し天・底の外蓋フラップ（９、１３）と天・底の差込みフラップ（１０、１４）および天・底の下ストッパー（１１、１５）を順に連接し、左側板（４）の上・下方向に横折線を介し天・底の袖フラップ（１７、１８）を連接し、前板（５）の上・下方向に横折線を介し天・底の内蓋フラップ（１９、２５）と天・底の折り返しフラップ（２２、２８）および天・底の上ストッパー（２３、２９）を順に連接し、その天・底の内蓋フラップの前板寄りにスリット状の天・底の差込みフラップ用穴（２１、２７）を設け、所要の糊付と折り曲げを繰り返して筒状本体を形成した後、天・底の袖フラップ（１７、１８、３１、３２）および天・底の内蓋フラップ（１９、２５）を順に重合し、天・底の差込みフラップ用穴（２１、２７）に天・底の差込みフラップ（１０、１４）および天・底の下ストッパー（１１、１５）を挿入し、筒状本体内に固定して上・下端部を閉鎖する構成としたことを特長とする開封修復不能な包装函。
【請求項２】
天・底の内蓋フラップ（１９、２５）に設けたスリット状の天・底の差込みフラップ用穴（２１、２７）の底幅に相当する前板（５）上・下端部分を横折線より天・底の内蓋フラップ（１９、２５）側に突出させ、天・底の差込みフラップ（１０、１４）を挿入する際の天・底の差込みフラップ用前当（２０、２６）としたことを特長とする請求項１に記載の開封修復不能な包装函。
【請求項３】
天・底の折り返しフラップ（２２、２８）を折り曲げて天・底の内蓋フラップ（１９、２５）の上に糊付重合した際に、天・底の折り返しフラップ（２２、２８）と天・底下ストッパー（２３、２９）の間に備えた横折線がスリット状の天・底の差込みフラップ用穴（２１、２７）に架からない長さとしたことを特長とする請求項１か２に記載の開封修復不能な包装函。
【請求項４】
筒状本体を形成し上・下端部を閉鎖する際に、天・底の内蓋フラップ（１９、２５）を折り曲げると、前板（５）の内壁に天・底の上ストッパー（２３、２９）の先端（２４、３０）が接触し、その接触位置を下方にずらせながら先端を軸にして天・底の上ストッパー（２３、２９）全体が前板（５）内壁に向かい折れ曲がる構成としたことを特長とする請求項１から３の何れかに記載の開封修復不能な包装函。
【請求項５】
筒状本体を形成し上・下端を閉鎖する際に、天・底の差込みフラップ（１０、１４）および天・底の下ストッパー（１１、１５）をスリット状の天・底の差込みフラップ用穴（２１、２７）に挿入し、天・底の下ストッパー先端（１２、１６）が前板（５）と天・底の上ストッパー（２３、２９）とで形成した隙間を開いて通過した後に、天・底の上ストッパー先端（２４、３０）が前板（５）の内壁側に戻り、天・底の下ストッパー（１１、１５）の戻りを防止する構成としたことを特長とする請求項１から４の何れかに記載の開封修復不能な包装函。
【発明の詳細な説明】
【０００１】
【産業上の利用分野】
本発明は、物品を収納した函の開口端部を閉鎖した後は、函自体の損壊なしに収納物の取出しを不可能とした開封修復不能な改ざん防止付包装函に関する。
【０００２】
【従来の技術】
小型包装函は筒状本体の上下端に開口部を有し、収納物を格納後に端部を袖フラップと差込片付フラップで開口部を閉鎖する構造が一般的である。また包装後に収納物の入れ換えや増減を目的とする所謂改ざん防止のために、糊とフラップの併用により固着閉鎖する手段も利用する。目的により更に透明紙による包装やシールで封印する等の手段が追加される。
【０００３】
改ざん防止を目的とした包装函に関する出願は数多く、本願出願人も先願を有し、実開平１−１７９１８号では貼着部付の上下差込片を筒状本体に形成した二層部分に挿入固着し、刃物等で固着部分を剥離することができない構造に関する技術を開示し、同様に実開平２−９３２０８号では内蓋の引き出しができない構造に関する技術を開示している。
【０００４】
【発明が解決しようとする課題】
開封修復不能な改ざん防止対策として考案された包装函は現在もそれなりに当初の目的を果してはいるが、近年の包装函のコスト引下げの強い求めに対応することが難しくなり始めた。原因は包装函の筒状本体の側面を多重構造としているためで材料と組立面からコスト引下げを難しくしている。
【０００５】
【課題を解決するための手段】
本発明は、改ざん防止の機能を落とすことなく構造を簡素化し、コスト引下げを可能とした開封修復不能な包装函の提供を目的とする。
【０００６】
本発明は、内右側板と後板と左側板と前板と右側板とを縦折線を介し順に横方向に連接し、内右側板の上・下方向に横折線を介し天・底の接続フラップを順に連接し、後板の上・下方向に横折線を介し天・底の外蓋フラップと天・底の差込みフラップおよび天・底の下ストッパーを順に連接し、左側板の上・下方向に横折線を介し天・底の袖フラップを連接し、前板の上・下方向に横折線を介し天・底の内蓋フラップと天・底の折り返しフラップおよび天・底の上ストッパーを順に連接し、その天・底の内蓋フラップの前板寄りにスリット状の天・底の差込みフラップ用穴を設け、所要の糊付と折り曲げを繰り返して筒状本体を形成した後、天・底の袖フラップおよび天・底の内蓋フラップを順に重合し、天・底の差込みフラップ用穴に天・底の差込みフラップおよび天・底の下ストッパーを挿入して筒状本体内に固定し上・下端部を閉鎖することを特長とする開封修復不能な包装函である。
【０００７】
【発明の実施の形態】
本発明は、筒状本体を一重とする代わりに上・下端部の閉鎖部を構成する内・外の蓋フラップの一部と筒状本体とで二重構造を形成し、この部分に差込みフラップを糊付なしに挿入固定し、改ざん防止の目的を果たす開封修復不能な包装函である。
【０００８】
一重の筒状本体は、左・右の側板と前・後の板を折り曲げ、後板に連接した内右側の糊付部分を右側板の裏面に貼り合わせた通常の構造であるが、前板の上・下端に順に連接した内蓋フラップと折り返しフラップおよびストッパーから前二者を折り曲げると、ストッパー先端は前板に当接して局部的に二重壁を形成し、後板の上・下端に順に連接した外蓋フラップと差込みフラップおよびストッパーを順に折り曲げ、このストッパー先端を前当で案内し内蓋フラップの穴から筒状本体に挿入し、二重壁の内壁を戻り止めに使用して固定する仕組である。
【０００９】
包装函の改ざん対象の場所には、上・下端部の閉鎖部以外に筒状本体の糊着部分の剥離による袖フラップの引き抜きがあるので、本願出願人の先願である実開平２−９３２０８号に開示した技術により、右側板の上・下端に連接した袖フラップを内右側板の上・下端に連接した接続フラップで糊付固定した。この結果、函を損壊しない限り改ざんを不可能とした構造の包装函が完成した。本包装函は医薬、食品等の包装容器として改ざん等の犯罪防止に最良の効果を発揮する。
【００１０】
【作用】
本発明の包装函は開封修復を不能とするために、上・下端部の閉鎖部を構成する内・外の蓋フラップに戻り止め機構を付与し、併せて糊付の必要性を排除し前当により端部を閉鎖し易い構造である。
【００１１】
【実施例】
図１は開封修復不能な包装函の展開図を、図２、３、４には展開したパターンから折畳状態の包装函にする工程を、図５、６、７、８では折畳状態から起こして包装函にする工程を、図９、１０では本発明の特長である戻り止め機構の断面斜視図を、図１１では図１の内・外の蓋フラップから以降の部材配置を上・下で入れ換えた展開図を示した。
【００１２】
図１は内部からみた包装函のパターンを示し、内右側板２と後板３と左側板４と前板５と右側板６を縦折線ａ、ｂ、ｃ、ｄを介して順次横方向に連接し、内右側板２の上下方向に横折線ｅ、ｆを介し天・底の接続フラップ７、８を連接し、後板３の上方向に横折線ｇ、ｈ、ｉを介し天外蓋フラップ９と天差込みフラップ１０と天下ストッパー１１を連接し、下方向に横折線ｊ、ｋ、ｌを介し同形状の底外蓋フラップ１３と底差込みフラップ１４と底下ストッパー１５を連接し、左側板４の上・下方向に横折線ｍ、ｎを介し天・底の袖フラップ１７、１８を連接した。
【００１３】
前板５の上方向に横折線ｏ、ｐ、ｑを介し天内蓋フラップ１９と天折り返しフラップ２２と天上ストッパー２３を連接する。この天内蓋フラップは前板寄りにスリット状の天差込みフラップ用穴２１を備え、穴の底幅に相当する前板の上端部分を横折線ｏより天内蓋フラップ１９側に突出させて天差込みフラップ用前当２０とし、下方向にも横折線ｒ、ｓ、ｔを介し同形状の底内蓋フラップ２５と底折り返しフラップ２８と底上ストッパー２９を連接した。この底内蓋フラップは同様に前板寄りにスリット状の底差込みフラップ用穴２７を備え、穴の底幅に相当する前板の下端部分を横折線ｒより底内蓋フラップ２５側に突出させて天差込みフラップ用前当２６とした。折線はｉ、ｌ、ｐ、ｓを半切り罫（ハーフカット）とした以外は、全て押し罫刃により形成した。
【００１４】
組立順は、図１の天・底の下ストッパー１１、１５と天・底の折り返しフラップ２２、２８の各面に、糊付部３３、３４、３５、３６を設け、図２では天・底の下ストッパーおよび折り返しフラップを横折線ｉ、ｌ、ｐ、ｓから内側に折曲げて、対応する天・底の差込みフラップ１０、１４と天・底の内蓋フラップ１９、２５の上に重合接着し、図３では内右側板２と後板３の左側全体を縦折線ｂから内側に折曲げて左側板４に重合し、内右側板２と天・底の接続フラップ７、８の各面に糊付部３７、３８、３９を設けた。
【００１５】
図４では図３の縦折線ｄから右側板６を内側に折り曲げ、内右側板２と天・底の接続フラップ７、８に右側板６と天・底の袖フラップ３１、３２を重合接着して折畳状態の包装函１を完成した。この包装函は筒状本体の接着部分をフラップまで延長したので、筒状本体とフラップの接着部分の同時剥離が伴わなければ収納物を取り出す改ざん行為は実施不能で、筒状本体とフラップの間は折れ曲がるので函を壊さない限り構造的にも剥離はできない。
【００１６】
図５は折畳状態から起こして筒状本体を形成し上・下端部を閉鎖する前段階の斜視図である。図６は図５の状態から下端部の閉鎖を完了し、上端部の天・底の袖フラップ１７、１８、３１、３２を折り曲げて閉鎖の開始段階の斜視図で、天外蓋フラップ９と天上ストッパー２３は伸びた儘で、図７は図６から天内蓋フラップ１９を所定の位置まで折り曲げ、前方に天差込みフラップ用前当２０と天差込み用穴２１が見える状態を示した。
【００１７】
図８は図７から天外蓋フラップ９と天差込みフラップ１０を横折線ｇ、ｈに沿いへの字に折り曲げ、天差込みフラップ用穴２１に挿入する前段階で、自動または手動による包装の際に、天差込みフラップ１０の先端を天差込みフラップ用前当２０に当てると天差込みフラップ用穴２１に挿入し易い。
【００１８】
図９は図８に示した上端部の閉鎖直前の状態に相当する包装函の下端部の断面斜視図を示した。底内蓋フラップ２５を所定の位置に折り曲げると、底折り返しフラップ２８に連接した底上ストッパー２９は前板５に当たり内側に曲げられて先端３０が上を向き前板５の内壁に当たる。この前板と底折り返しフラップとの間に底差込みフラップ用穴２７に相当した隙間を設け、底差込みフラップ１４の挿入に備えたので、底上ストッパー２９は前板５にもたれ掛かる様な形で弾力を残して傾斜する。
【００１９】
図１０は図９から組立が更に進み下端部が閉鎖完了した状態の断面斜視図を示した。底外蓋フラップ１３を折り曲げ差込みフラップ１４を底差込みフラップ用前当２６から底差込み用穴２７に挿入（図７参照）し、底外蓋フラップ１３を所定の位置に折り曲げ終わると、底差込みフラップ１４と底下ストッパー１５が前板５と底上ストッパー２９の間を押し開いて通過し、底下ストッパー１５が通過すると底上ストッパー２９の先端３０が前板５側に戻って隙間を閉じ、底下ストッパーの先端１６の戻りを防止する構造である。
【００２０】
本構造は閉鎖が完了すると戻り止め部分を函外から触れないために、函を壊さない限り開封は不可能で改ざん防止の役割を果す。上端部の閉鎖も下端部と同構造で天下ストッパー１１の先端１２と天上ストッパー２３の先端２４が接する。図１１は別態様の展開図で、図１は後板と前板の各上・下に連接した内・外の蓋フラップを対称配置にしたが、図１１では何れかの上か下を入れ換えて非対称配置（符号参照）としたことが違う。しかし両者の機能には変わりはない。
【００２１】
【発明の効果】
本発明になる開封修復不能な包装函の使用により下記の効果を得た。
1)函を壊さない限り開封できない改ざん防止構造により、使用者の包装函に対する信頼感を充分に高めることができた。
2)構造を簡単にしたことで全自動化を可能とし、安定した製品を低コストで供給できるようにした。
3)充填包装工程で函端部を閉鎖する際に、内・外の蓋フラップや天・底の差込みフラップ等に糊を使用しないので、糊のはみ出しによるトラブルを解消した。
4)信頼性と使い易さと低コストで販売面への貢献を大とした。
【図面の簡単な説明】
【図１】実施例の包装函の展開図である。
【図２】図１から折り畳みを開始した平面図である。
【図３】図２から加工中の平面図である。
【図４】図３から折り畳みを完了した平面図である。
【図５】図４の折畳状態から起こし筒状本体に成形した斜視図である。
【図６】図５から下端部の閉鎖が完了し、上端部の閉鎖を開始した斜視図である。
【図７】図６から上端部の閉鎖が進んだ状態の斜視図である。
【図８】図７から上端部の閉鎖前の斜視図である。
【図９】下端部の閉鎖前の断面斜視図である。
【図１０】図９の状態から下端部の閉鎖が完了した断面斜視図である。
【図１１】図１とは別態様の包装函の展開図である。
【符号の説明】
１ 包装函
２ 内右側板
３ 後板
４ 左側板
５ 前板
６ 右側板
７、８ 天・底の接続フラップ
９、１３ 天・底の外蓋フラップ
１０、１４ 天・底の差込みストッパー
１１、１５ 天・底の下ストッパー
１２、１６、２４、３０ 先端
１７、１８、３１、３２ 天・底の袖フラップ
１９、２５ 天・底の内蓋フラップ
２０、２６ 天・底の差込みフラップ用前当
２１、２７ 天・底の差込みフラップ用穴
２２、２８ 天・底の折り返しフラップ
２３、２９ 天・底の上ストッパー
３３、３４、３５、３６、３７、３８、３９ 糊付部
ａ〜ｄ 縦折線
ｅ〜ｖ 横折線
【図１】
0003850571.tif 000002
【図２】
0003850571.tif 000003
【図３】
0003850571.tif 000004
【図４】
0003850571.tif 000005
【図５】
0003850571.tif 000006
【図６】
0003850571.tif 000007
【図７】
0003850571.tif 000008
【図８】
0003850571.tif 000009
【図９】
0003850571.tif 000010
【図１０】
0003850571.tif 000011
【図１１】
0003850571.tif 000012